(57)【要約】【課題】消費者の生活における満足感を向上させること。【解決手段】所定の商品１０１の貯蓄する貯蓄庫への補充完了および所定の商品１０１の消費を検知した結果に基づいて、所定の商品１０１の貯蓄庫における在庫の状況に関する在庫状況情報を算出する。また、所定の商品１０１の消費を検知した結果に基づいて、所定の商品１０１の消費情報を記憶し、この消費情報に基づいて所定の商品１０１の消費傾向を分析する。そして、算出された在庫状況情報および分析された結果に基づいて、所定の商品１０１および当該所定の商品の代替え商品の貯蓄庫への補充時期および補充量に関する補充予定情報を生成する。その後、所定の商品１０１の商品情報を含む補充完了情報、在庫状況情報、消費情報、消費傾向に関する情報および補充予定情報の少なくともいずれか一つの情報を表示するとともに、生成された補充予定情報を所定の商品１０１の発注先のサーバへ送信する。【選択図】図１−２
2010250753.tif 000002
【特許請求の範囲】
【請求項１】
所定の商品の、当該所定の商品を貯蓄する貯蓄庫への補充完了情報を取得する取得手段と、
前記所定の商品が消費されたことを検知する検知手段と、
前記取得手段によって取得された補充完了情報および前記検知手段によって検知された結果に基づいて、前記所定の商品の前記貯蓄庫における在庫の状況に関する在庫状況情報を算出する算出手段と、
前記検知手段によって検知された結果に基づいて、前記所定の商品の消費時期に関する情報を含む消費情報を記憶する記憶手段と、
前記記憶手段に記憶された消費情報を抽出し、抽出された消費情報に基づいて、前記所定の商品の消費傾向を分析する分析手段と、
前記算出手段によって算出された在庫状況情報および前記分析手段によって分析された結果に基づいて、前記所定の商品および当該所定の商品の代替え商品の前記貯蓄庫への補充時期および補充量に関する補充予定情報を生成する生成手段と、
前記所定の商品の商品情報を含む前記補充完了情報、前記在庫状況情報、前記消費情報、前記消費傾向に関する情報および前記補充予定情報の少なくともいずれか一つの情報を表示する表示手段と、
前記生成手段によって生成された補充予定情報を前記所定の商品の発注先のサーバへ送信する送信手段と、
を備えたことを特徴とする商品管理装置。
【請求項２】
前記検知手段は、前記所定の商品または前記代替え商品が開封されたことを検知することを特徴とする請求項１に記載の商品管理装置。
【請求項３】
前記補充完了情報は、前記貯蓄庫に貯蓄されていた前記所定の商品の回収情報を含むことを特徴とする請求項１または２に記載の商品管理装置。
【請求項４】
前記補充完了情報は、前記所定の商品の消費期限に関する情報を含んでおり、
前記表示手段は、前記所定の商品の消費期限に関する情報を表示することを特徴とする請求項１〜３のいずれか一つに記載の商品管理装置。
【請求項５】
前記表示手段は、所定の期間における消費合計金額に関する情報を表示することを特徴とする請求項１〜４のいずれか一つに記載の商品管理装置。
【請求項６】
前記補充完了情報は、前記代替え商品の商品情報を含んでおり、
前記表示手段は、前記代替え商品の商品情報を表示することを特徴とする請求項１〜５のいずれか一つに記載の商品管理装置。
【請求項７】
前記表示手段は、前記所定の商品の商品情報に含まれている当該所定の商品の価格に関する情報と、前記代替え商品の商品情報に含まれている当該代替え商品の価格に関する情報とを、比較可能に表示することを特徴とする請求項１〜６のいずれか一つに記載の商品管理装置。
【請求項８】
さらに、表示画面に表示された前記代替え商品の補充の可否に関する情報の入力を受け付ける入力手段を備え、
前記生成手段が、前記入力手段によって入力された情報に基づいて前記補充予定情報を生成することを特徴とする請求項１〜７のいずれか一つに記載の商品管理装置。
【請求項９】
取得手段と、検知手段と、算出手段と、所定の記憶部と、分析手段と、生成手段と、表示手段と、送信手段と、を備えた商品管理装置が用いる商品管理方法であって、
前記取得手段が、所定の商品の、当該所定の商品を貯蓄する貯蓄庫への補充完了情報を取得する取得工程と、
前記検知手段が、前記所定の商品が消費されたことを検知する検知工程と、
前記算出手段が、前記取得工程によって取得された補充完了情報および前記検知工程によって検知された結果に基づいて、前記所定の商品の前記貯蓄庫における在庫の状況に関する在庫状況情報を算出する算出工程と、
前記検知工程によって検知された結果に基づいて、前記所定の商品の消費時期に関する情報を含む消費情報を前記所定の記憶部に記憶させる記憶工程と、
前記分析手段が、前記所定の記憶部に記憶された消費情報を抽出し、抽出された消費情報に基づいて、前記所定の商品の消費傾向を分析する分析工程と、
前記生成手段が、前記算出工程によって算出された在庫状況情報および前記分析工程によって分析された結果に基づいて、前記所定の商品および当該所定の商品の代替え商品の前記貯蓄庫への補充時期および補充量に関する補充予定情報を生成する生成工程と、
前記表示手段が、前記所定の商品の商品情報を含む前記補充完了情報、前記在庫状況情報、前記消費情報、前記消費傾向に関する情報および前記補充予定情報の少なくともいずれか一つの情報を表示する表示工程と、
前記送信手段が、前記生成工程によって生成された補充予定情報を前記所定の商品の発注先のサーバへ送信する送信工程と、
を含んだことを特徴とする商品管理方法。
【請求項１０】
取得手段と、検知手段と、算出手段と、所定の記憶部と、分析手段と、生成手段と、表示手段と、送信手段と、を備えた商品管理装置に実行させる商品管理プログラムであって、
前記取得手段が、所定の商品の、当該所定の商品を貯蓄する貯蓄庫への補充完了情報を取得する取得工程と、
前記検知手段が、前記所定の商品が消費されたことを検知する検知工程と、
前記算出手段が、前記取得工程によって取得された補充完了情報および前記検知工程によって検知された結果に基づいて、前記所定の商品の前記貯蓄庫における在庫の状況に関する在庫状況情報を算出する算出工程と、
前記検知工程によって検知された結果に基づいて、前記所定の商品の消費時期に関する情報を含む消費情報を前記所定の記憶部に記憶させる記憶工程と、
前記分析手段が、前記所定の記憶部に記憶された消費情報を抽出し、抽出された消費情報に基づいて、前記所定の商品の消費傾向を分析する分析工程と、
前記生成手段が、前記算出工程によって算出された在庫状況情報および前記分析工程によって分析された結果に基づいて、前記所定の商品および当該所定の商品の代替え商品の前記貯蓄庫への補充時期および補充量に関する補充予定情報を生成する生成工程と、
前記表示手段が、前記所定の商品の商品情報を含む前記補充完了情報、前記在庫状況情報、前記消費情報、前記消費傾向に関する情報および前記補充予定情報の少なくともいずれか一つの情報を表示する表示工程と、
前記送信手段が、前記生成工程によって生成された補充予定情報を前記所定の商品の発注先のサーバへ送信する送信工程と、
を実行させることを特徴とする商品管理プログラム。
【発明の詳細な説明】
【技術分野】
【０００１】
この発明は、販売を目的とした商品を管理する商品管理装置、商品管理方法および商品管理プログラムに関する。
【背景技術】
【０００２】
近年、コンビニエンスストアやスーパーマーケットなどのように、２４時間営業をおこなっている小売店が多数存在する。このような店舗の存在により、消費者は、必要とする商品をいつでも入手することができる。
【０００３】
従来、たとえば冷蔵庫などの日用品収納庫内に、日用品の有無や日用品の重量を検出するセンサを設け、センサにより日用品がなくなった場合あるいは日用品の重量が所定値を下回った場合に、店舗サーバに対して当該日用品を注文し、また日用品が収納されてからの時間を判別し、これに基づいて食料品の残消費期限を判別、消費期限切れが近づいた食料品についても自動的な注文をおこなうようにした技術があった（たとえば、下記特許文献１を参照。）。
【０００４】
また、従来、たとえば物品の使用に伴い変化する該物品の残量と物品を使用可能な状態に保つための該物品の在庫とを管理し、残量の管理によって得られた物品の残量データを在庫の管理に反映させ、残量の管理が反映された在庫の管理に基づき物品を発注するようにした技術があった（たとえば、下記特許文献２を参照。）。
【先行技術文献】
【特許文献】
【０００５】
【特許文献１】特開２０００−２９６９０４号公報
【特許文献２】特開２００５−１１２４９９号公報
【発明の概要】
【発明が解決しようとする課題】
【０００６】
しかしながら、上述した特許文献１に記載された従来の技術においては、冷蔵庫に補充される商品は、消費者が消費した商品と同じ商品である。また、上述した特許文献２に記載された従来の技術においても、特許文献１に記載された従来の技術と同様に、在庫物品の残量に基づいて発注される物品は、在庫物品と同じ物品である。
【０００７】
このように、従来の技術では、消費者に提供される商品に代わり映えがない。このため、消費者は、当該消費者の嗜好や要求に合致する別の商品が存在するにもかかわらず、常に同じ商品を消費することとなり、生活における満足感を向上させうる機会を逸しているという問題があった。
【０００８】
この発明は、上述した従来技術による問題点を解消するため、消費者の生活における満足感を向上させることができる商品管理装置、商品管理方法および商品管理プログラムを提供することを目的とする。
【課題を解決するための手段】
【０００９】
上述した課題を解決し、目的を達成するため、この発明にかかる商品管理装置は、所定の商品の、当該所定の商品を貯蓄する貯蓄庫への補充完了情報を取得する取得手段と、前記所定の商品が消費されたことを検知する検知手段と、前記取得手段によって取得された補充完了情報および前記検知手段によって検知された結果に基づいて、前記所定の商品の前記貯蓄庫における在庫の状況に関する在庫状況情報を算出する算出手段と、前記検知手段によって検知された結果に基づいて、前記所定の商品の消費時期に関する情報含む消費情報を記憶する記憶手段と、前記記憶手段に記憶された消費情報を抽出し、抽出された消費情報に基づいて、前記所定の商品の消費傾向を分析する分析手段と、前記算出手段によって算出された在庫状況情報および前記分析手段によって分析された結果に基づいて、前記所定の商品および当該所定の商品の代替え商品の前記貯蓄庫への補充時期および補充量に関する補充予定情報を生成する生成手段と、前記所定の商品の商品情報を含む前記補充完了情報、前記在庫状況情報、前記消費情報、前記消費傾向に関する情報および前記補充予定情報の少なくともいずれか一つの情報を表示する表示手段と、前記生成手段によって生成された補充予定情報を前記所定の商品の発注先のサーバへ送信する送信手段と、を備えたことを特徴とする。
【００１０】
また、この発明にかかる商品管理装置は、上記の発明において、前記検知手段が、前記所定の商品または前記代替え商品が開封されたことを検知することを特徴とする。
【００１１】
また、この発明にかかる商品管理装置は、上記の発明において、前記補充完了情報が、前記貯蓄庫に貯蓄されていた前記所定の商品の回収情報を含むことを特徴とする。
【００１２】
また、この発明にかかる商品管理装置は、上記の発明において、前記補充完了情報が、前記所定の商品の消費期限に関する情報を含んでおり、前記表示手段が、前記所定の商品の消費期限に関する情報を表示することを特徴とする。
【００１３】
また、この発明にかかる商品管理装置は、上記の発明において、前記表示手段が、所定の期間における消費合計金額に関する情報を表示することを特徴とする。
【００１４】
また、この発明にかかる商品管理装置は、上記の発明において、前記補充完了情報が、前記代替え商品の商品情報を含んでおり、前記表示手段が、前記代替え商品の商品情報を表示することを特徴とする。
【００１５】
また、この発明にかかる商品管理装置は、上記の発明において、前記表示手段が、前記所定の商品の商品情報に含まれている当該所定の商品の価格に関する情報と、前記代替え商品の商品情報に含まれている当該代替え商品の価格に関する情報とを、比較可能に表示することを特徴とする。
【００１６】
また、この発明にかかる商品管理装置は、上記の発明において、さらに、表示画面に表示された前記代替え商品の補充の可否に関する情報の入力を受け付ける入力手段を備え、前記生成手段が、前記入力手段によって入力された情報に基づいて前記補充予定情報を生成することを特徴とする。
【００１７】
また、この発明にかかる商品管理方法は、取得手段と、検知手段と、算出手段と、所定の記憶部と、分析手段と、生成手段と、表示手段と、送信手段と、を備えた商品管理装置が用いる商品管理方法であって、前記取得手段が、所定の商品の、当該所定の商品を貯蓄する貯蓄庫への補充完了情報を取得する取得工程と、前記検知手段が、前記所定の商品が消費されたことを検知する検知工程と、前記算出手段が、前記取得工程によって取得された補充完了情報および前記検知工程によって検知された結果に基づいて、前記所定の商品の前記貯蓄庫における在庫の状況に関する在庫状況情報を算出する算出工程と、前記検知工程によって検知された結果に基づいて、前記所定の商品の消費時期に関する情報含む消費情報を前記所定の記憶部に記憶させる記憶工程と、前記分析手段が、前記所定の記憶部に記憶された消費情報を抽出し、抽出された消費情報に基づいて、前記所定の商品の消費傾向を分析する分析工程と、前記生成手段が、前記算出工程によって算出された在庫状況情報および前記分析工程によって分析された結果に基づいて、前記所定の商品および当該所定の商品の代替え商品の前記貯蓄庫への補充時期および補充量に関する補充予定情報を生成する生成工程と、前記表示手段が、前記所定の商品の商品情報を含む前記補充完了情報、前記在庫状況情報、前記消費情報、前記消費傾向に関する情報および前記補充予定情報の少なくともいずれか一つの情報を表示する表示工程と、前記送信手段が、前記生成工程によって生成された補充予定情報を前記所定の商品の発注先のサーバへ送信する送信工程と、を含んだことを特徴とする。
【００１８】
また、この発明にかかる商品管理プログラムは、取得手段と、検知手段と、算出手段と、所定の記憶部と、分析手段と、生成手段と、表示手段と、送信手段と、を備えた商品管理装置に実行させる商品管理プログラムであって、前記取得手段が、所定の商品の、当該所定の商品を貯蓄する貯蓄庫への補充完了情報を取得する取得工程と、前記検知手段が、前記所定の商品が消費されたことを検知する検知工程と、前記算出手段が、前記取得工程によって取得された補充完了情報および前記検知工程によって検知された結果に基づいて、前記所定の商品の前記貯蓄庫における在庫の状況に関する在庫状況情報を算出する算出工程と、前記検知工程によって検知された結果に基づいて、前記所定の商品の消費時期に関する情報含む消費情報を前記所定の記憶部に記憶させる記憶工程と、前記分析手段が、前記所定の記憶部に記憶された消費情報を抽出し、抽出された消費情報に基づいて、前記所定の商品の消費傾向を分析する分析工程と、前記生成手段が、前記算出工程によって算出された在庫状況情報および前記分析工程によって分析された結果に基づいて、前記所定の商品および当該所定の商品の代替え商品の前記貯蓄庫への補充時期および補充量に関する補充予定情報を生成する生成工程と、前記表示手段が、前記所定の商品の商品情報を含む前記補充完了情報、前記在庫状況情報、前記消費情報、前記消費傾向に関する情報および前記補充予定情報の少なくともいずれか一つの情報を表示する表示工程と、前記送信手段が、前記生成工程によって生成された補充予定情報を前記所定の商品の発注先のサーバへ送信する送信工程と、を実行させることを特徴とする。
【発明の効果】
【００１９】
この発明にかかる商品管理装置、商品管理方法および商品管理プログラムによれば、消費者の嗜好に即した商品を適切な時期に補充させることができるので、消費者の生活における満足感を向上させることができるという効果を奏する。
【図面の簡単な説明】
【００２０】
【図１−１】この発明にかかる実施の形態の商品管理装置を示す説明図（その１）である。
【図１−２】この発明にかかる実施の形態の商品管理装置を示す説明図（その２）である。
【図２】この発明にかかる実施の形態の商品管理装置のハードウエア構成を示す説明図である。
【図３】この発明にかかる商品管理装置の機能的構成を示すブロック図である。
【図４】代替え商品ＤＢの一例を示す説明図である。
【図５】消費情報テーブルの一例を示す説明図である。
【図６】在庫状況情報テーブルの一例を示す説明図である。
【図７−１】表示画面の一例を示す説明図（その１）である。
【図７−２】表示画面の一例を示す説明図（その２）である。
【図７−３】表示画面の一例を示す説明図（その３）である。
【図７−４】表示画面の一例を示す説明図（その４）である。
【図８】商品管理装置の処理手順（その１）を示すフローチャートである。
【図９】商品管理装置の処理手順（その２）を示すフローチャートである。
【発明を実施するための形態】
【００２１】
以下に添付図面を参照して、この発明にかかる商品管理装置、商品管理方法および商品管理プログラムの好適な実施の形態を詳細に説明する。
【００２２】
（商品管理装置の構成）
まず、この発明にかかる実施の形態の商品管理装置について説明する。図１−１および図１−２は、この発明にかかる実施の形態の商品管理装置を示す説明図である。図１−１および図１−２において、この発明にかかる実施の形態の商品管理装置１００は、たとえば直方体形状の外観をなし、内側に所定の商品１０１を貯蔵可能な貯蔵庫１０２を備えている。
【００２３】
所定の商品１０１は、代金と引き換えに提供される物品であり、貯蔵庫１０２内に貯蔵することが可能とされている。具体的には、所定の商品１０１は、たとえば缶ビール、缶酎ハイ、清涼飲料水などの飲料類とすることができる。また、具体的には、所定の商品１０１は、たとえばヨーグルトやゼリーなどの冷菓類とすることができる。また、具体的には、所定の商品１０１は、たとえばロックアイス、アイスクリーム、かき氷など、冷凍保存を要するものであってもよい。
【００２４】
所定の商品１０１は、冷蔵あるいは冷凍の必要があるものに限らない。具体的には、所定の商品１０１は、たとえば菓子パン、チョコレート菓子、クッキーなどの焼き菓子など、常温での保存が可能なものであってもよい。また、所定の商品１０１は食品に限らない。具体的には、所定の商品１０１は、たとえばティッシュペーパー、シャンプー、コンディショナー、洗顔料、化粧品、洗剤など、常温での保存が可能な食品以外のものであってもよい。
【００２５】
所定の商品１０１は、定期的あるいは不定期に、発送先の補充担当者によって商品管理装置１００内に補充される。補充担当者は、所定の商品１０１に加えて、代替え商品を補充する。代替え商品は、たとえば所定の商品１０１に類似する商品、所定の商品１０１の競合商品、所定の商品１０１と同じ分類がなされる商品などとすることができる。
【００２６】
具体的には、たとえば所定の商品１０１が「Ａ社製の缶ビール」である場合、「Ｂ社製の缶ビール」、「Ｃ社製の缶ビール」、「Ｄ社製の缶ビール」、などが代替え商品とされる。また、具体的には、たとえば所定の商品１０１が「Ｅ社製の発泡酒」である場合、「Ｆ社製の発泡酒」、「その他の醸造酒（発泡性）に分類されるＧ社製の発泡性のアルコール飲料」、「リキュール（発泡性）に分類されるＨ社製の発泡性のアルコール飲料」などが代替え商品とされる。
【００２７】
この実施の形態において、所定の商品１０１および代替え商品には、ＲＦＩＤ（Ｒａｄｉｏ  Ｆｒｅｑｕｅｎｃｙ  ＩＤｅｎｔｉｆｉｃａｔｉｏｎ「電波による個体識別」の略）タグが付されている。ＲＦＩＤタグは、当該所定の商品１０１を特定可能な情報（以下「商品特定情報」という）を記憶している。
【００２８】
ＲＦＩＤタグは、電磁界や電波などを用いた近距離（周波数帯によって数ｃｍ〜数ｍ）の無線通信による情報の送受信が可能であり、商品特定情報や消費期限情報を記憶するＩＣを備えている。ＲＦＩＤタグについては、公知の技術であるため図示および説明を省略する。
【００２９】
商品特定情報は、たとえば補充担当者によって、当該所定の商品１０１にあらかじめ付与された管理番号とすることができる。この場合の管理番号は、補充担当者が設定した管理番号であってもよいし、所定の商品１０１に付されたバーコードによって示される製造番号であってもよい。また、商品特定情報は、当該商品の名称および製造業者名であってもよい。
【００３０】
また、ＲＦＩＤタグは、所定の商品１０１の消費期限を特定可能な情報（以下「消費期限情報」）を記憶している。消費期限は、たとえば所定の商品１０１が食品である場合は、当該所定の商品１０１に設定された賞味期限とすることができる。また、消費期限は、たとえば所定の商品１０１が季節を限定した商品（節分用の豆、ひなあられなど）である場合、当該所定の商品１０１が一般的に求められる日時（２月３日、３月３日など）としてもよい。
【００３１】
また、消費期限は、たとえば所定の商品１０１が食品である場合、当該所定の商品１０１の実際の賞味期限に限るものではない。補充担当者があらかじめ設定した任意の期限であってもよい。具体的には、たとえば所定の商品１０１が缶ビールである場合、消費期限を一律に１ヶ月に設定してもよい。さらに、具体的には、この缶ビールの消費期限は、当該缶ビールが貯蔵庫１０２内に補充された日付から１ヶ月後の日付を消費期限として設定してもよい。
【００３２】
また、同じビールであっても、たとえば所定の商品１０１が熱処理を施せず酵母が残留したタイプのビール（生ビール）である場合は、たとえば「２週間」などのように、当該所定の商品１０１に設定された賞味期限を消費期限として設定してもよい。
【００３３】
この実施の形態において、消費期限は、所定の商品１０１の実際の消費期限（賞味期限）に限るものではなく、当該所定の商品１０１を回収するまでの期限であってもよい。たとえば、補充したものの該当する所定の商品１０１が消費されず、消費する可能性が低いと判断することができる期間に相当する日数を、消費期限としてもよい。
【００３４】
具体的には、たとえば、ビールや発泡酒などのアルコール飲料の消費が多い消費者の住居に設置された商品管理装置１００において、特定のメーカーの缶ビールを貯蔵庫１０２内に補充してから１ヶ月間消費されない場合、当該缶ビールが消費者の嗜好にあわないと判断できる。このような状況を想定し、補充日を基準とした消費期限を設定してもよい。
【００３５】
また、ＲＦＩＤタグは、所定の商品１０１の販売金額を特定可能な情報（以下「販売金額情報」）を記憶している。同じ所定の商品であっても、たとえばキャンペーン中などに補充された所定の商品の販売金額は、通常の販売金額よりも低価格に設定されていてもよい。販売金額情報は、日時に関する情報に対応づけて記憶されていてもよい。具体的には、たとえば２００９年３月３０日に補充した所定の商品であって、当該商品についてのキャンペーンが２００９年４月１日から２００９年４月１４日までの期間で予定されている場合、２００９年３月３１日まで、および２００９年４月１５日以降の販売金額を定価とし、キャンペーン期間中は販売価格を定価の２割引とする販売金額情報が記憶されていてもよい。
【００３６】
商品管理装置１００において、貯蔵庫１０２は、１つあるいは複数設けられている。貯蔵庫１０２は、貯蔵庫１０２が貯蔵する所定の商品１０１や代替え商品を、所定温度で保管する恒温機能を備えていてもよい。具体的には、恒温機能は、たとえば貯蔵庫１０２内を１０度あるいは０度などの所定温度以下の低温に保つ冷却装置によって実現することが可能であり、貯蔵庫１０２内を所定温度以下に保つことによって食品などの鮮度の維持あるいは腐敗の防止を図ることができる。
【００３７】
恒温機能を実現する冷却装置を備えた貯蔵庫１０２には、当該貯蔵庫１０２を周囲から断熱する断熱部材が設けられている。断熱部材は、たとえばウレタンフォーム、ポリスチレンフォームあるいはフェノールフォームなどの発泡系断熱材などによって実現することが可能であり、冷却装置を備えた貯蔵庫１０２と別の貯蔵庫１０２、あるいは冷却装置を備えた貯蔵庫１０２と外部との間における熱の移動を防止する。
【００３８】
貯蔵庫１０２が複数設けられている場合、恒温機能を実現する冷却装置は、すべての貯蔵庫１０２に設けられていてもよいし、一部の貯蔵庫１０２のみに設けられていてもよい。また、貯蔵庫１０２の数に限らず、商品管理装置１００は、恒温機能を実現する冷却装置を備えず、貯蔵庫１０２内に貯蔵された所定の商品１０１や代替え商品を常温で保管するものであってもよい。
【００３９】
商品管理装置１００は、たとえば住居などの外壁１０３を貫通し、住居の内側と外側との双方向からのアクセスが可能な状態で設置されている。図１−１および図１−２においては、外壁１０３よりも紙面手前側が住居の内側、外壁１０３よりも紙面奥側が住居の外側とされている。
【００４０】
また、商品管理装置１００は、貯蔵庫１０２を開放可能に閉塞する扉状の蓋部１０４を備えている。商品管理装置１００は、住居の内側からの開閉操作を受け付ける蓋部１０４と、住居の外側からの開閉操作を受け付ける蓋部１０４と、の２つの蓋部１０４を備えている。
【００４１】
２つの蓋部１０４のうち、少なくとも、住居の外側からの開閉操作を受け付ける蓋部１０４には、当該蓋部１０４の開閉操作を制限するロック機構（図示を省略する）が設けられている。このロック機構は、たとえばシリンダー錠やＵ字ロックなどのように、錠前と当該錠前の施錠／解錠を切り替える鍵とによって構成することができる。また、ロック機構は、磁気カードによるカードリーダ、暗証番号入力するテンキーなどを用いて操作することによって施錠／解錠を電気的に切り替える電気錠であってもよい。
【００４２】
商品管理装置１００に対して所定の商品１０１を補充する業者は、ロック機構による開閉操作の制限を解除してから、住居の外側からの開閉操作を受け付ける蓋部１０４を開放して、所定の商品１０１を商品管理装置１００内に補充する。補充後は、住居の外側からの開閉操作を受け付ける蓋部１０４を閉め、ロック機構による開閉操作の制限を有効とする。
【００４３】
商品管理装置１００は、表示装置１０５を備えている。表示装置１０５は、文字や図形を表示することによって情報を伝達する出力装置であって、たとえば液晶ディスプレイやプラズマディスプレイなどによって実現することができる。表示装置１０５は、文字や画像などの表示が可能であって、商品管理装置１００が収納している商品に関する各種の情報を表示する。
【００４４】
具体的には、表示装置１０５は、たとえば商品管理装置１００が収納している商品名、数、賞味／消費期限、当該商品の画像などを表示する。また、表示装置１０５は、たとえば新商品の広告、お買い得品の案内、キャンペーンなどを案内する情報を表示する。表示装置１０５は、少なくとも住居の内側となる位置に設けられる。
【００４５】
表示装置１０５は、住居の内側に加えて、住居の外側から視認可能な位置に設けられていてもよい。この場合、住居の外側から視認可能な位置に設けられた表示装置１０５は、所定の入力操作を受け付けた場合に限って、操作内容に応じた情報のみを表示するようにしてもよい。これにより、不要な情報が住居の外部に流出することを防止することができる。
【００４６】
表示装置１０５の表示面側には、タッチパネル１０６が積層されている。タッチパネル１０６は、少なくとも住居の内側となる位置に設けられた表示装置１０５の表示面側に積層されている。商品管理装置１００は、タッチパネル１０６に加えてあるいは代えて、図示を省略するテンキーなどの操作キーを別途備えていてもよい。
【００４７】
タッチパネル１０６は、住居の内側となる位置に設けられた表示装置１０５の表示面側に積層される他、住居の外側から視認可能な位置に設けられた表示装置１０５の表示面側に積層されていてもよい。この場合、住居の外側から視認可能な位置に設けられた表示装置１０５の表示面側に積層されたタッチパネル１０６は、所定の入力操作を受け付けた場合に限って、以降の入力操作を受け付けるようにしてもよい。これにより、住居の外部からの悪戯などによって商品管理装置１００が不用意に動作することを防止することができる。
【００４８】
商品管理装置１００は、所定の商品１０１に付されたＲＦＩＤタグと通信をおこない、当該ＲＦＩＤタグに記憶された情報を読み取る無線通信Ｉ／Ｆ（インターフェイス、図２を参照）を備えている。無線通信Ｉ／Ｆの通信距離は、たとえば商品管理装置１００の貯蔵庫１０２内あるいはその近傍に限られている。これにより、貯蔵庫１０２内に貯蔵されている所定の商品１０１のみとの通信が可能になり、商品管理装置１００の外部の所定の商品１０１の商品特定情報を誤って読み取ることを防止できる。
【００４９】
無線通信Ｉ／Ｆの通信範囲は、商品管理装置１００の貯蔵庫１０２の内側と外側との境界部分に限定してもよい。具体的には、無線通信Ｉ／Ｆの通信範囲は、蓋部１０４によって覆われる開口部分に限定してもよい。この場合、無線通信Ｉ／Ｆは、住居の外側につながる開口部分と住居の内側につながる開口部分との２つの開口部分において、ＲＦＩＤタグとの通信をおこなう。これによって、所定の商品１０１が、住居の外側あるいは内側のいずれから補充された場合にも、および、貯蔵庫１０２内から住居の外側あるいは内側のいずれに取り出された場合にも、貯蔵庫１０２内にある所定の商品１０１を確実に把握することができる。
【００５０】
（商品管理装置１００のハードウエア構成）
つぎに、この発明にかかる実施の形態の商品管理装置１００のハードウエア構成について説明する。図２は、この発明にかかる実施の形態の商品管理装置１００のハードウエア構成を示す説明図である。
【００５１】
図２において、この発明にかかる実施の形態の商品管理装置１００は、ＣＰＵ２０１と、ＲＯＭ２０２と、ＲＡＭ２０３と、ＨＤＤ（ハードディスクドライブ）２０４と、ＨＤ（ハードディスク）２０５と、無線通信Ｉ／Ｆ２０６と、表示装置１０５と、タッチパネル１０６と、スピーカー２０７と、ネットワークＩ／Ｆ２０８と、を備えている。また、コンピュータ装置が備える各部２０１〜２０８は、バス２１０によってそれぞれ接続されている。
【００５２】
ＣＰＵ２０１は、商品管理装置１００全体の制御を司る。ＲＯＭ２０２は、ブートプログラムなどのプログラムを記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶する。
【００５３】
商品管理装置１００は、ＦＤ、ＣＤ−ＲＯＭ（ＣＤ−ＲＷ）、ＭＯ、ＤＶＤ（Ｄｉｇｉｔａｌ  Ｖｅｒｓａｔｉｌｅ  Ｄｉｓｋ）などの着脱可能な記録媒体に対するデータのリード／ライトを制御するドライバを備えていてもよい。このようなドライバを備えることにより、たとえば商品広告やミニゲームなどのアプリケーションを記録したＣＤ−ＲＯＭなどを配布し、商品の販売促進を図るような運用をおこなうことができる。
【００５４】
無線通信Ｉ／Ｆ２０６は、商品に付されたＲＦＩＤタグとの間で通信をおこない、ＲＦＩＤタグから商品特定情報や消費期限情報などの情報を読み取る。無線通信Ｉ／Ｆ２０６は、ＲＦＩＤタグから読み取った情報をＣＰＵ２０１へ出力する。無線通信Ｉ／Ｆ２０６は、ＲＦＩＤタグが所定範囲内にある場合に、当該ＲＦＩＤタグが記憶する情報を読み取ることができる。
【００５５】
表示装置１０５は、ＣＰＵ２０１によって制御されて、商品管理装置１００の貯蔵庫１０２内に貯蔵されている商品に関する各種の情報を表示する。また、表示装置１０５は、タッチパネル１０６による操作位置を案内するアイコンや操作キーなどの画像を表示する。
【００５６】
タッチパネル１０６は、操作位置に応じた信号をＣＰＵ２０１に対して出力する。タッチパネル１０６は、たとえば抵抗膜方式や静電容量方式、音響パルス認識方式、超音波表面弾性波方式、赤外遮光方式、画像認識方式など公知の各種の方式のものを用いることができる。
【００５７】
商品管理装置１００が、タッチパネル１０６に加えてあるいは代えて、テンキーなどの操作キーを備えている場合、当該操作キーは少なくとも住居の内側となる位置に設けられる。この操作キーは、操作されたキーに応じた信号をＣＰＵ２０１に対して出力する。商品管理装置１００においては、注文可能な商品や操作内容などをすべて番号で特定することにより、商品の注文（注文する商品および数量の特定）をすべてテンキーの操作によっておこなうようにしてもよい。
【００５８】
スピーカー２０７は、ボイスコイル（図示を省略する）を備えており、ＣＰＵ２０１から出力された音声信号にしたがった電気信号をボイスコイルに印加することによって音声を出力する。具体的には、スピーカー２０７は、たとえば表示装置１０５における新商品の広告、お買い得品の案内、キャンペーンなどを案内する情報などの表示にあわせて、ＢＧＭや効果音などの音声を出力する。
【００５９】
ネットワークＩ／Ｆ２０８は、通信回線を通じてネットワーク１３０に接続され、ネットワーク１３０を介して外部装置に接続される。そして、ネットワークＩ／Ｆ２０８は、ネットワーク１３０と内部とのインターフェイスを司り、商品管理装置１００におけるデータの入出力を制御する。
【００６０】
（商品管理装置１００の機能的構成）
つぎに、この発明にかかる商品管理装置１００の機能的構成について説明する。図３は、この発明にかかる商品管理装置１００の機能的構成を示すブロック図である。図３において、この発明にかかる商品管理装置１００は、補充完了情報取得部（取得部）３０１と、消費検知部（検知部）３０２と、在庫状況算出部（算出部）３０３と、消費情報記憶部（記憶部）３０４と、消費傾向分析部（分析部）３０５と、補充予定情報生成部（生成部）３０６と、表示部３０７と、送信部３０８と、代替え商品補充可否入力部（入力部）３０９と、を備えて構成されている。
【００６１】
補充完了情報取得部３０１は、所定の商品１０１の、当該所定の商品１０１を貯蓄する貯蓄庫への補充完了情報を取得する。補充完了情報は、商品管理装置１００内に補充した所定の商品１０１の商品特定情報を含んでいる。補充完了情報取得部３０１は、たとえば無線通信Ｉ／Ｆ２０６を介してＲＦＩＤタグから商品特定情報を読み取ることによって、補充完了情報を取得する。この実施の形態においては、具体的には、たとえば無線通信Ｉ／Ｆ２０６によって、補充完了情報取得部３０１としての機能を実現することができる。
【００６２】
無線通信Ｉ／Ｆ２０６の通信範囲が貯蔵庫１０２内およびその近傍に制限されているため、貯蔵庫１０２に補充された所定の商品１０１の商品特定情報のみを読み取ることができる。これによって、貯蔵庫１０２に補充されていない商品の商品特定情報を誤って読み取ることを抑制することができる。
【００６３】
補充完了情報取得部３０１は、ＲＦＩＤタグと無線通信Ｉ／Ｆ２０６との通信状況に基づいて、ＲＦＩＤタグすなわち所定の商品１０１の移動方向を検出し、住居の外側から貯蔵庫１０２内に移動したＲＦＩＤタグから読み取った情報のみを補充完了情報として取得するようにしてもよい。これにより、無線通信Ｉ／Ｆ２０６の通信範囲が、貯蔵庫１０２の外部に及んでいた場合にも、補充されていない商品の商品特定情報を補充完了情報として誤って取得することを抑制できる。
【００６４】
また、補充完了情報取得部３０１は、たとえば商品管理装置１００への商品の補充をおこなった補充担当者によってタッチパネル１０６に対する所定の操作がおこなわれた場合に、操作内容にしたがって補充完了情報を取得するようにしてもよい。この場合、具体的には、たとえば住居の外側からの開閉操作を受け付ける蓋部１０４に設けられた表示装置１０５に、「補充完了」などの文字および当該文字を囲む枠などを含む表示画面を表示し、この表示画面の表示中にタッチパネル１０６において「補充完了」の表示部分が操作された場合に、「補充完了」の表示部分が操作されるまでにＲＦＩＤタグから読み取った商品特定情報を補充完了情報として取得するようにしてもよい。
【００６５】
補充担当者は、バーコードを光学的に読み取ることが可能な携帯型のバーコード読み取り装置を携帯し、商品管理装置１００内に補充する所定の商品１０１に付されたバーコードを読み取ることによって商品特定情報を入力してもよい。この場合、補充完了情報取得部３０１は、バーコードの読み取りがあるごとに、読み取ったバーコードの情報を補充完了情報として取得する。
【００６６】
あるいは、補充完了情報取得部３０１は、所定の商品１０１の補充が完了した時点で補充担当者によって所定の操作がおこなわれた場合に、当該操作がおこなわれるまでに、読み取ったバーコードの情報を補充完了情報として取得するようにしてもよい。
【００６７】
また、補充完了情報は、商品管理装置１００内に補充した所定の商品１０１の数量を特定可能な情報（以下「補充数量特定情報」という）を含んでいる。補充数量特定情報は、たとえば無線通信Ｉ／Ｆ２０６を介してＲＦＩＤタグから商品特定情報を読み取った回数に基づいて補充完了情報取得部３０１において生成することができる。
【００６８】
この場合、ＲＦＩＤタグから商品特定情報を読み取った回数に限るものではなく、補充担当者の操作によって商品特定情報が入力された回数、あるいは補充担当者がバーコードを光学的に読み取ることによって商品特定情報が入力された回数、などに基づいて、補充完了情報取得部３０１において補充数量特定情報を生成するようにしてもよい。
【００６９】
また、補充数量特定情報は、たとえば補充担当者によって、「１個」、「３個」などのように、補充した数量を入力する操作がおこなわれた場合に、当該操作内容に基づいて補充完了情報取得部３０１において生成することができる。この場合、具体的には、たとえば住居の外側からの開閉操作を受け付ける蓋部１０４に設けられた表示装置１０５に、０〜９の数字と「個数入力」などの文字および当該文字を囲む枠などを含む表示画面を表示し、この表示画面の表示中に、タッチパネル１０６において数字の表示部分が操作され、その後「個数入力」の表示部分が操作された場合に、補充数量特定情報を生成することができる。
【００７０】
また、補充数量特定情報は、ＲＦＩＤタグの商品特定情報を読み取った回数に基づいて、補充完了情報取得部３０１において生成してもよい。具体的には、たとえば所定の商品１０１を補充するごとに、ＲＦＩＤタグの情報が当該所定の商品１０１の管理番号を入力する。これにより、商品管理装置１００内に補充した所定の商品１０１の個数と同じ数の管理番号が入力されるので、入力された管理番号の数に基づいて所定の商品１０１の数量を特定することができる。
【００７１】
また、補充完了情報は、貯蓄庫に貯蓄されていた所定の商品１０１の回収情報を含んでいる。回収情報は、所定の商品１０１が貯蔵庫１０２から住居の外側に取り出されたことを示す情報であって、たとえば無線通信Ｉ／Ｆ２０６とＲＦＩＤタグとの通信によって所定の商品１０１に付されたＲＦＩＤタグが貯蔵庫１０２から住居の外側に移動したことを検出した場合に読み取られたＲＦＩＤタグの商品特定情報とすることができる。回収情報は、たとえば貯蓄庫に貯蓄されていた所定の商品１０１の消費期限が近づいた、あるいは消費期限が到来して、当該所定の商品１０１が補充担当者によって回収された場合に取得される。
【００７２】
回収情報は、たとえば補充担当者が該当する所定の商品１０１を回収し、回収した所定の商品１０１の商品特定情報や数量などの情報が入力された場合に、入力された情報に基づいて取得するようにしてもよい。回収した所定の商品１０１の商品特定情報や数量などの情報の入力は、上記のように商品特定情報や補充数量特定情報を補充担当者の手作業によって入力する場合と同様にしておこなうことができる。
【００７３】
また、補充完了情報は、所定の商品１０１の消費期限情報を含んでいる。消費期限情報は、所定の商品１０１に付されたＲＦＩＤタグから読み取ることによって取得することができる。また、消費期限情報は、所定の商品１０１の種類によっては、所定の商品１０１を貯蔵庫１０２に補充した日付に基づいて補充完了情報取得部３０１によって生成してもよい。
【００７４】
具体的には、上述した缶ビールの例のように、所定の商品１０１が、実際の消費期限が十分に長くても、一定期間以上消費されないなどのように、以降消費される可能性が低いと判断できる商品である場合、補充完了情報取得部３０１は、所定の商品１０１を貯蔵庫１０２に補充した日付に基づいて生成した消費期限情報を含む補充完了情報を取得する。
【００７５】
また、補充完了情報は、代替え商品の商品情報（以下「代替え商品情報」という）を含んでいる。代替え商品情報は、代替え商品に関する情報であって、たとえば代替え商品の特徴やセールスポイントなど、代替え商品の宣伝情報とすることができる。
【００７６】
たとえば代替え商品が、所定の商品１０１に類似する商品である場合、所定の商品１０１との類似点に加えて、所定の商品１０１よりも優れている点を案内する情報を代替え商品情報とすることができる。具体的には、たとえばＡ社製の缶ビールを多く消費する傾向がある消費者に対しては、Ｂ社製の缶ビール、Ｃ社製の缶ビール、Ｄ社製の缶ビール、などを代替え商品とし、代替え商品ごとに特有のセールスポイントを代替え商品情報として取得する。
【００７７】
代替え商品情報は、代替え商品データベース（ＤＢ）に記憶されている。代替え商品ＤＢは、所定の商品１０１ごとに対応づけて、当該所定の商品１０１の代替え商品の代替え商品情報を記憶している。代替え商品ＤＢにおいては、所定の商品１０１ごとの、代替え商品の表示優先度が記憶されている。代替え商品の表示優先度は、１つの所定の商品１０１に対して、代替え商品が複数存在する場合に設定され、代替え商品として表示装置１０５に表示する優先度を示す。代替え商品ＤＢについては、説明を後述する（図４を参照）。
【００７８】
消費検知部３０２は、所定の商品１０１が消費されたことを検知する。また、消費検知部３０２は、代替え商品が消費されたことを検知する。たとえば、消費検知部３０２は、所定の商品１０１が住居の内側から貯蔵庫１０２の外に取り出された後、所定時間が経過したことをもって所定の商品１０１が消費されたと検知する。この場合、この実施の形態においては、具体的には、たとえばＣＰＵ２０１が備えるタイマ機能および無線通信Ｉ／Ｆ２０６によって、消費検知部３０２としての機能を実現することができる。
【００７９】
具体的には、所定の商品１０１に付されたＲＦＩＤタグの商品特定情報を読み取ってからの経過時間を、ＣＰＵ２０１が備える計時機能によって計時し、計時される経過時間があらかじめ定められた所定の時間よりも長くなったことをもって所定の商品１０１が消費されたと検知する。
【００８０】
所定の時間は、たとえば１０分など、貯蔵庫１０２から取り出された所定の商品１０１が、貯蔵庫１０２への補充時とほぼ同程度の品質を維持していることができる時間とすることが好ましい。具体的には、たとえば熱処理を施さず酵母が残留したタイプのビール（生ビール）が所定の商品１０１である場合、所定の時間を１０分程度とする。
【００８１】
これにより、貯蔵庫１０２から取り出してから丸一日放置され、風味が低下した状態で貯蔵庫１０２に戻されることを防止することができる。また、これにより、所定の商品１０１を良好な状態で消費者に消費させることができ、特に所定の商品１０１が食品である場合には消費者の体調不良の発生を防止することができる。
【００８２】
また、消費検知部３０２は、たとえば所定の商品１０１の封が実際に開けられたことを検知することによって、所定の商品１０１が消費されたと検知するようにしてもよい。この場合、この実施の形態においては、具体的には、たとえば無線通信Ｉ／Ｆ２０６によって、消費検知部３０２としての機能を実現することができる。
【００８３】
具体的には、たとえば所定の商品１０１が、イージーオープンエンド（ＥＯＥ：Ｅａｓｙ  Ｏｐｅｎ  Ｅｎｄ）方式の中のパーシャルオープンエンド（ＰＯＥ：Ｐａｒｔｉａｌ  Ｏｐｅｎ  Ｅｎｄ）方式、すなわちプルタップ方式により開栓するタイプの缶ビールである場合、缶容器の上面に対してつまみ部分が起立した状態あるいは缶容器の上面の一部に孔があいた状態を検出することによって、当該缶ビールが消費されたことを検出してもよい。
【００８４】
また、消費検知部３０２は、ＲＦＩＤタグと通信ができるかどうかによって、所定の商品１０１が消費されたことを検知してもよい。この場合、消費検知部３０２は、ＲＦＩＤタグと通信ができる間は、所定の商品１０１が未開封であると判断し、当該ＲＦＩＤタグとの通信ができなくなった場合に所定の商品１０１が消費されたことを検知する。
【００８５】
ＲＦＩＤタグは、所定の商品１０１が開封された場合に破壊されるように構成されていてもよい。具体的には、所定の商品１０１が、プルタップ方式により開栓するタイプの缶ビールである場合、缶容器の上面に対してつまみ部分が起立して開缶した状態においては、アンテナ部分とＩＣチップ部分とが分断するように構成する。これによって、商品管理装置１００と所定の商品１０１との距離にかかわらず、商品管理装置１００のすぐそばあるいは所定の商品１０１が貯蔵庫１０２内に存在する状態で開缶された場合にも、缶ビールの開缶を確実に検知することができる。
【００８６】
在庫状況算出部３０３は、補充完了情報取得部３０１によって取得された補充完了情報および消費検知部３０２によって検知された結果に基づいて、所定の商品１０１の貯蓄庫における在庫の状況に関する在庫状況情報を算出する。在庫状況情報は、貯蔵庫１０２に貯蔵されている所定の商品１０１の種類、各所定の商品１０１の個数、各所定の商品１０１の消費期限などを特定可能な情報を含んでいる。
【００８７】
この実施の形態においては、具体的には、たとえばＲＡＭ２０３をワークエリアとしながら、ＲＯＭ２０２に記憶されたプログラムをＣＰＵ２０１によって実行することによって、在庫状況算出部３０３としての機能を実現することができる。
【００８８】
具体的には、在庫状況算出部３０３は、たとえば補充完了情報に基づいて貯蔵部に貯蔵されている所定の商品１０１を特定するとともに当該所定の商品１０１の数量を特定する。また、在庫状況算出部３０３は、消費されたことが検知された所定の商品１０１を特定するとともに当該所定の商品１０１の数量を特定する。そして特定された商品のうち、消費されたことが検知された所定の商品１０１を、該当する数量分、該当する貯蔵された所定の商品１０１の数量から減算する。在庫状況算出部３０３は、このような算出を、消費されたことが検知された所定の商品１０１の種類と同数おこなうことによって、在庫状況情報を算出する。
【００８９】
消費情報記憶部３０４は、消費検知部３０２によって検知された結果に基づいて、所定の商品１０１の消費時期に関する情報を含む消費情報を記憶する。この実施の形態においては、具体的には、たとえばＲＡＭ２０３をワークエリアとしながら、ＲＯＭ２０２に記憶されたプログラムをＣＰＵ２０１によって実行することによって、消費情報記憶部３０４としての機能を実現することができる。
【００９０】
消費情報記憶部３０４は、消費検知部３０２によって所定の商品１０１が消費されたことを検知するごとに消費情報を生成し、生成した消費情報を消費情報テーブルに記憶する。消費情報テーブルは、たとえば商品管理装置１００が備えるＲＯＭやＲＡＭあるいはＨＤなどの記憶媒体に設けられている。消費情報テーブルについては、説明を後述する（図５を参照）。
【００９１】
消費情報は、たとえば所定の商品１０１が消費された日時を特定可能な情報とすることができる。消費情報は、たとえば所定の商品１０１が消費された日時における天候に関する情報を含んでいてもよい。天候に関する情報は、通信Ｉ／Ｆを介して、天候に関する情報を提供しているＷＥＢサーバなどにアクセスすることによって取得することができる。天候に関する情報は、具体的には、たとえば天候自体（晴れ、曇り、雨など）、気温（最高気温や最低気温など）、風速（強風、無風など）を示す情報とすることができる。
【００９２】
また、消費情報は、たとえば消費された所定の商品の販売金額情報を含んでいてもよい。消費された所定の商品の販売金額情報は、該当する所定の商品に付されたＲＦＩＤタグに記憶された情報を読み取ることによって取得することができる。消費情報記憶部３０４は、所定の期間における消費合計金額に関する情報を記憶していてもよい。具体的には、消費情報記憶部３０４は、たとえば決済に利用できるカードの締め日の翌日からつぎの締め日までの１ヶ月間における消費合計金額を特定可能な情報を、消費情報テーブルに記憶する。
【００９３】
また、消費情報記憶部３０４は、在庫状況情報を在庫状況情報テーブルに記憶する。在庫状況情報テーブルは、たとえば商品管理装置１００が備えるＲＯＭ２０２やＲＡＭ２０３あるいはＨＤ２０５などの記憶媒体に設けられている。在庫状況情報テーブルについては、説明を後述する（図６を参照）。
【００９４】
消費傾向分析部３０５は、消費情報記憶部３０４によって消費情報テーブルに記憶された消費情報を抽出し、抽出された消費情報に基づいて、所定の商品１０１の消費傾向を分析する。この実施の形態においては、具体的には、たとえばＲＡＭ２０３をワークエリアとしながら、ＲＯＭ２０２に記憶されたプログラムをＣＰＵ２０１によって実行することによって、消費傾向分析部３０５としての機能を実現することができる。
【００９５】
消費傾向分析部３０５は、たとえば所定の商品１０１が消費された日時から、どのような商品が、どのような時間帯に、どの程度の数量消費されたかを分析する。消費情報は、消費検知部３０２によって所定の商品１０１が消費されたことを検知するごとに消費情報記憶部３０４によって記憶されているため、記憶された消費情報の数に基づいて、所定の商品１０１の消費量を特定し、消費傾向の分析に用いることができる。
【００９６】
具体的には、たとえば「平日の２１時〜２２時において平均して３缶の缶ビールを消費し、休日の１８時〜２０時において平均して６缶の缶ビールを消費する」、「平日の７時〜７時３０分においてヨーグルトを１つ消費する」などの消費傾向を分析によって得ることができる。また、具体的には、たとえば「１ヶ月のうち、初旬はプレミアムビールを消費し、月末になると発泡酒を消費する」などの消費傾向を、分析によって得ることができる。
【００９７】
また、消費傾向分析部３０５は、たとえば所定の商品１０１が消費されたときの天候から、どのような商品が、どのような天候のときに、どの程度の数量消費されているかを分析してもよい。消費情報記憶部３０４においては、天候に関する情報を含む消費情報が記憶されているため、所定の商品１０１の消費日時や消費量と天候との関係に基づいて、所定の商品１０１の消費量を分析することができる。
【００９８】
具体的には、たとえば「日中の最高気温が２５度を超えた日は２１時〜２２時において平均して３缶の缶ビールを消費し、日中の最高気温が２５度を超えない日は平均して１缶の缶ビールを消費する」などの消費傾向を分析によって得ることができる。
【００９９】
消費傾向分析部３０５は、基本情報や消費情報を収集し、収集した情報に基づいて分析をおこなう。基本情報は、たとえば消費者の氏名、住所、年齢、性別、家族構成、職業などとすることができる。また、消費情報は、所定の商品１０１を消費した日時、消費者した所定の商品１０１と消費量、消費金額などとすることができる。
【０１００】
また、消費傾向分析部３０５は、消費者の情報を用いて分析をおこなう。消費者の情報は、具体的には、たとえば「消費者が消費する頻度が高いもの」とすることができる。このような消費者の情報を用いた分析をおこなうことにより、消費者の好む所定の商品１０１（缶ビール）を常に提供することができるとともに、消費者の好む代替え商品（新たな缶ビール）を提供することができるという効果が得られる。
【０１０１】
また、消費者の情報は、具体的には、たとえば「使用する金額の目安」とすることができる。このような消費者の情報を用いた分析をおこなうことにより、使用金額が高額な消費者に対しては、消費者の好む代替え商品（新たな缶ビール）が発売されるごとに当該代替え商品の購入を積極的に勧めることができる。また、使用金額がさほど高くない消費者に対しては、消費者の好む所定の商品１０１に類似するとともに、販売価格が抑えられている代替え商品（発泡酒など）の検討を勧めることができる。
【０１０２】
また、消費傾向分析部３０５は、消費者の情報を用いて分析をおこなうことにより、所定の商品１０１の補充に適した時期を特定し、所定の商品１０１が欠品しないようなサイクルで補充をおこなうことができる。さらに、消費傾向分析部３０５は、消費者の情報を用いて分析をおこなうことにより、店舗側で在庫する所定の商品１０１が管理しやすくなり、消費者を特定した分析をおこなうことによって無駄な在庫を少なくすることができる。
【０１０３】
消費傾向分析部３０５は、別の商品管理装置１００における消費傾向に基づいて分析をおこない、分析結果を補充する所定の商品１０１の決定に利用してもよい。具体的には、たとえば「５０代の男性は、チョコレート好きな消費者が多い」などのように、一見した場合には意外性のある情報を分析によって得ることができる。
【０１０４】
また、具体的には、たとえば「月曜日の朝はビールが売れる傾向にある」などのように、人間の常識的な判断だけでは想定しづらい消費傾向を分析によって得ることができる。また、具体的には、たとえば「ビールとヨーグルトとは同時に消費されることが多い」などのように、実際の消費状況に基づいて細かく分析しなければ得られないような消費傾向を分析によって得ることができる。
【０１０５】
消費傾向分析部３０５は、さらに、家族構成別に消費傾向を分析してもよい。これによって、商品管理装置１００ごとに、家族構成に適した所定の商品１０１を補充できるような専用のコースメニューを設定することが可能になり、消費者の満足度の向上に寄与することができる。
【０１０６】
補充予定情報生成部３０６は、在庫状況算出部３０３によって算出された在庫状況情報および消費傾向分析部３０５によって分析された結果に基づいて、補充予定情報を生成する。補充予定情報は、所定の商品１０１および当該所定の商品の代替え商品の貯蓄庫への補充時期および補充量の予測値であって、所定の商品１０１の消費者の消費状況（在庫状況）に応じて、商品管理装置１００ごとに異なる。
【０１０７】
この実施の形態においては、具体的には、たとえばＲＡＭ２０３をワークエリアとしながら、ＲＯＭ２０２に記憶されたプログラムをＣＰＵ２０１によって実行することによって、補充予定情報生成部３０６としての機能を実現することができる。
【０１０８】
補充予定情報生成部３０６は、所定の時期が到来するごとに、補充予定情報を生成する。所定の時期は、たとえば「毎夜０時」や「毎週日曜日午前６時」など、任意に設定することができる。これにより、補充予定情報生成部３０６は、あらかじめ定められたタイミングで、補充予定情報を生成する。
【０１０９】
補充予定情報生成部３０６は、在庫状況情報が更新されるたびに、補充予定情報を生成してもよい。すなわち、貯蔵庫１０２内に貯蔵されている所定の商品１０１に変化があるごとに（消費された場合、補充された場合、回収された場合など）、補充予定情報を生成してもよい。
【０１１０】
具体的には、補充予定情報生成部３０６は、たとえば消費傾向分析部３０５によって得られた消費傾向が「平日の２１時〜２２時において平均して３缶の缶ビールを消費し、休日の１８時〜２０時において平均して６缶の缶ビールを消費する」という内容であって、かつ、在庫状況算出部３０３によって算出された在庫状況が「Ａ社製の缶ビール２缶」であって、さらに、在庫状況情報の算出および消費傾向の分析を土曜日の日中におこなった場合、「Ａ社製の缶ビール４缶およびＢ社製の缶ビール２缶を、本日１７時３０分までに補充する」という内容の補充予定情報を生成する。なお、この例において、Ｂ社製の缶ビールは、市場でＡ社製の缶ビールに競合する競合商品とされており、代替え商品ＤＢにおいてＡ社製の缶ビールの代替え商品として記憶されている。
【０１１１】
表示部３０７は、所定の商品１０１の商品情報を含む補充完了情報、在庫状況情報、消費情報、消費傾向に関する情報および補充予定情報の少なくともいずれか一つの情報を表示する。表示部３０７は、住居の内側の蓋部１０４に設けられた表示装置１０５において、補充完了情報、在庫状況情報、消費情報、消費傾向に関する情報および補充予定情報の少なくともいずれか一つの情報を表示する。この実施の形態においては、住居の内側の蓋部１０４に設けられた表示装置１０５によって、表示部３０７としての機能を実現することができる。
【０１１２】
具体的には、表示部３０７は、たとえば「貯蔵庫１０２内には、１リットルパック牛乳（Ｉ社製）１本、缶ビール（Ａ社製）２本、ヨーグルト（Ｊ社製）２個、・・・」などのように、貯蔵庫１０２内に貯蔵されている所定の商品１０１名および各商品の在庫数の案内情報を表示する。
【０１１３】
たとえば補充完了情報が所定の商品１０１の消費期限に関する情報を含んでいる場合、表示部３０７は、所定の商品１０１の消費期限情報を表示してもよい。具体的には、表示部３０７は、在庫状況情報に基づいて、たとえば「ヨーグルトの賞味期限は４月１日です。」や、「ヨーグルトの賞味期限はあと２日です。お早めにお召し上がりください。」などの案内情報を表示する。
【０１１４】
また、たとえば補充完了情報が代替え商品の商品情報を含んでいる場合、表示部３０７は、代替え商品の商品情報を表示してもよい。具体的には、表示部３０７は、たとえば「Ｂ社製の缶ビールはいかがですか。この缶ビールはＡ社製の缶ビールに似たテイストで、Ａ社製の缶ビールよりも低価格です。」などの案内情報を表示する。
【０１１５】
この場合、表示部３０７は、たとえば「Ｂ社製の缶ビールを注文する」などの操作キーを表示してもよい。表示部３０７は、この操作キーを表示している状態で、タッチパネル１０６における操作キー部分が操作された場合、「ご注文の本数を入力してください」などのメッセージと、本数を入力するための数字キーなどを表示する。
【０１１６】
また、表示部３０７は、所定の商品１０１情報に含まれている当該所定の商品１０１の価格に関する情報と、代替え商品の商品情報に含まれている当該代替え商品の価格に関する情報とを、比較可能に表示する。具体的には、表示部３０７は、たとえば「Ａ社製の缶ビール  １缶２５０円」という情報と、「Ｂ社製の缶ビール  １缶２２０円」という情報と、を並列して表示する。
【０１１７】
また、表示部３０７は、たとえば補充予定情報に基づいて「Ａ社製の缶ビール４缶およびＢ社製の缶ビール２缶が、本日１７時３０分までに補充されます。」などの案内情報を表示する。さらに、表示部３０７は、「その他のご注文はございますか」などの、追加注文の有無を確認するメッセージなどを表示してもよい。
【０１１８】
また、表示部３０７は、代替え商品のキャンペーン情報を表示してもよい。具体的には、表示部３０７は、たとえば「このたびＢ社製の缶ビールの販売本数が１億本を超えました。ただいま販売本数１億本突破の記念キャンペーン中。定価の２０円引きで提供しております。」のようなキャンペーン情報を表示する。また、表示部３０７は、「この製品はＡ社製の缶ビールに似たテイストで、Ａ社製の缶ビールよりも低価格です。」など、Ａ社製の缶ビールに対するＢ社製の缶ビールのセールスポイントを表示してもよい。
【０１１９】
キャンペーンは、たとえば商品の消費傾向から消費者の嗜好を分析し、分析結果に基づいて商品の購入を勧める情報のみを提供する方法とすることができる。この場合、消費者は、表示部３０７による表示によって提供された情報に基づいて、希望する所定の商品１０１の購入をタッチパネル１０６の操作によって指定する。所定の業者は、情報の提供の結果、消費者に指定された所定の商品１０１を、貯蔵庫１０２内に補充する。
【０１２０】
また、キャンペーンは、たとえば所定の商品１０１の消費傾向から消費者の嗜好を分析し、分析結果に基づいて、消費者の操作を介することなく、消費者の嗜好に合致した所定の商品１０１を、所定の業者が貯蔵庫１０２内に補充することによっておこなってもよい。この場合、所定の商品１０１の補充にあわせて、所定の商品１０１の購入を勧める情報を、表示装置１０５によって表示してもよい。
【０１２１】
また、表示部３０７は、所定の期間における消費合計金額に関する情報を表示する。具体的には、表示部３０７は、たとえば決済に利用できるカードの締め日の翌日からつぎの締め日までの１ヶ月間における消費合計金額を示す情報を表示する。消費合計金額は、たとえば消費情報テーブルに記憶された、消費合計金額を特定可能な情報に基づいて取得することができる。
【０１２２】
表示部３０７は、消費者あるいは補充担当者による商品管理装置１００に対する所定の操作を受け付けた場合に、上記の各種の情報を表示する。また、表示部３０７は、たとえば１０分間など、一定時間表示した後は表示をオフにする。これによって、深夜などに情報を表示するなどして、不要に電力を消費することを防止できる。
【０１２３】
また、表示部３０７は、蓋部１０４が開かれた場合に、上記の各種の情報を表示するようにしてもよい。この場合、住居の内側の蓋部１０４が開かれた場合に、上記の各種の情報を表示するようにしてもよい。これにより、消費者に対して、たとえば所定の商品１０１が取り出される（所定の商品１０１が消費される）あるいは取り出された所定の商品１０１が貯蔵庫１０２内に戻されるごとに、在庫状況を確認させることができる。
【０１２４】
送信部３０８は、補充予定情報生成部３０６によって生成された補充予定情報を所定の商品１０１の発注先のサーバへ送信する。送信部３０８は、補充予定情報生成部３０６によって生成された補充予定情報と、当該補充予定情報の送信元となる商品管理装置１００の識別番号と、を含む情報を発注先のサーバへ送信する。この実施の形態においては、具体的には、たとえばネットワークＩ／Ｆ２０８によって送信部３０８としての機能を実現することができる。
【０１２５】
発注先のサーバは、商品管理装置１００の識別情報と、商品管理装置１００の所在地を特定可能な情報と、を対応づけて記憶する管理ＤＢを備えている。発注先においては、発注先のサーバが受信した情報に基づいて、注文された所定の商品１０１を準備し、該当する商品管理装置１００へ補充する手配をおこなう。準備した所定の商品１０１は、補充担当者によって該当する商品管理装置１００に補充される。補充担当者は、所定の商品１０１の補充に際して、消費期限が到来した所定の商品１０１を商品管理装置１００から回収する。
【０１２６】
代替え商品補充可否入力部３０９は、表示画面に表示された代替え商品の補充の可否に関する情報（以下「補充可否情報」という）の入力を受け付ける。この実施の形態においては、住居の内側の蓋部１０４に設けられた表示装置１０５に積層されたタッチパネル１０６によって、代替え商品補充可否入力部３０９としての機能を実現することができる。
【０１２７】
補充可否情報は、表示画面に表示された代替え商品を補充するか否か、および、補充する場合の数量を特定可能な情報であって、消費者による所定の入力操作を受け付けることによって入力される。具体的には、代替え商品補充可否入力部３０９は、たとえば「Ｂ社製の缶ビールはいかがですか。この缶ビールはＡ社製の缶ビールに似たテイストで、Ａ社製の缶ビールよりも低価格です。」などの案内情報とともに表示画面に表示した、「Ｂ社製の缶ビールを注文する」などの情報によって位置が示される操作キーによって実現することができる（図７−１、図７−２、図７−３および図７−４を参照）。
【０１２８】
上記の補充予定情報生成部３０６は、代替え商品補充可否入力部３０９によって入力された情報に基づいて補充予定情報を生成してもよい。具体的には、補充予定情報生成部３０６は、たとえば代替え商品補充可否入力部３０９に対する操作による注文がない場合はＡ社製の缶ビールのみを含む補充予定情報を生成し、代替え商品補充可否入力部３０９に対する操作による注文があった場合にＡ社製の缶ビールとＢ社製の缶ビールとを含む補充予定情報を生成する。
【０１２９】
つぎに、代替え商品ＤＢの一例について説明する。図４は、代替え商品ＤＢの一例を示す説明図である。図４において、代替え商品ＤＢ４００は、所定の商品１０１の商品特定情報と、代替え商品の商品特定情報と、を対応づけて記憶している。代替え商品ＤＢ４００においては、所定の商品１０１の商品特定情報１つに対して、１つあるいは複数の代替え商品の商品特定情報が記憶されている。
【０１３０】
また、代替え商品ＤＢ４００においては、代替え商品の優先度を示す情報が記憶されている。優先度は、価格、市場における消費量、市場における消費傾向、などの優先度決定条件に基づいて設定されている。優先度は、たとえば価格が低いほど、優先度が高くなるように設定することができる。
【０１３１】
また、優先度は、市場における消費量が多いほど、優先度が高くなるように設定することができる。市場における消費傾向は、たとえば「Ａ社製の缶ビールを消費する消費者が同時に注文することが多い」、「Ａ社製の缶ビールを消費する消費者からの転向が多い」など、Ａ社製の缶ビールに関連する消費の傾向を示す。市場における消費傾向に基づいて優先度を設定する場合、たとえばＡ社製の缶ビールを消費する消費者が同時に注文することが多い順に、優先度が高くなるように設定することができる。
【０１３２】
優先度の決定条件は、「一番売上が多いもの」に限るものではない。具体的には、たとえば年齢別売上、性別売上、地域別売上などの情報を総合判断して、商品管理装置１００を利用する消費者に一番適した所定の商品１０１の優先度が高くなるように設定するようにしてもよい。
【０１３３】
商品管理装置１００は、消費者による優先度決定条件の指定を受け付けることが可能とされている。これにより、代替え商品の優先度は、所定の商品１０１が同じであっても、指定された優先度決定条件に応じて異なる。
【０１３４】
また、優先度は、「顧客が優先度を指定できる」ことに加えて、商品管理装置１００が分析した消費傾向に基づいて優先度を都度柔軟に変化させられるようにしてもよい。具体的には、たとえば、新商品のビールばかりを消費する消費者に対しては、「この消費者は新しい物好きだ」と分析し、新商品であるかどうかを優先度に決定するようにしてもよい。
【０１３５】
また、新商品のビールばかりを消費する消費者が、或る時期から特定のビールしか消費しなくなった場合、当該消費者が「特定のビールを気にいった」と分析し、当該特定のビールを多めに補充するようにしてもよい。
【０１３６】
つぎに、消費情報テーブルの一例について説明する。図５は、消費情報テーブルの一例を示す説明図である。図５において、消費情報テーブル５００は、貯蔵庫１０２に貯蔵された所定の商品１０１の商品特定情報と、それぞれの所定の商品１０１が消費された日時を特定可能な情報と、を対応づけて記憶している。
【０１３７】
また、消費情報テーブル５００は、所定の商品１０１が消費された日時における天候に関する情報を、貯蔵庫１０２に貯蔵された所定の商品１０１の商品特定情報に対応づけて記憶している。図５に示した消費情報テーブル５００においては、天候に関する情報として、貯蔵庫１０２に貯蔵された所定の商品１０１が消費された日における最高気温および最低気温を特定可能な情報が記憶されている。
【０１３８】
つぎに、在庫状況情報テーブルの一例について説明する。図６は、在庫状況情報テーブルの一例を示す説明図である。図６において、在庫状況情報テーブル６００は、貯蔵庫１０２に貯蔵されている所定の商品１０１の商品特定情報と、それぞれの所定の商品１０１の消費期限情報と、を対応づけて記憶している。
【０１３９】
在庫状況情報テーブル６００においては、同じ所定の商品１０１が複数貯蔵されている場合、それぞれ別々に商品特定情報を記憶している。具体的には、たとえば補充時期が異なるＡ社製の缶ビールが２本貯蔵されている場合、「Ａ社製の缶ビール／消費期限２００９年５月１日」、「Ａ社製の缶ビール／消費期限２００９年５月５日」などのように、それぞれ別々に記憶する。
【０１４０】
さらに、在庫状況情報テーブル６００は、それぞれの所定の商品１０１が補充された日時を特定可能な情報を、商品特定情報ごとに対応づけて記憶していてもよい。図６の在庫状況情報テーブル６００においては、「Ａ社製の缶ビール／消費期限２００９年５月１日／補充日２００９年４月１日」、「Ａ社製の缶ビール／消費期限２００９年５月５日／補充日２００９年４月５日」のように、所定の商品１０１ごとに消費期限および貯蔵庫１０２に補充された日（補充日）が記憶されている。
【０１４１】
（表示画面の一例）
つぎに、住居の内側の蓋部１０４に設けられた表示装置１０５における表示画面の一例について説明する。図７−１、図７−２、図７−３および図７−４は、表示画面の一例を示す説明図である。図７−１および図７−２においては、住居の内側の蓋部１０４に設けられた表示装置１０５における表示画面の一例を示している。
【０１４２】
図７−１において、表示画面７１０は、住居の内側からの開閉操作を受け付ける蓋部１０４に設けられた表示装置１０５に表示される表示画面例を示している。表示画面７１０においては、缶ビールや菓子類などの、おすすめ商品の情報が示されている。また、表示画面７１０においては、表示画面７１０を表示している当日中に購入した商品名や、当該商品の購入個数、各商品の単価などの情報や、商品の購入にかかる金額および当月の利用金額の総計などが示されている。さらに、表示画面７１０においては、次回の回収日や、当該回収日に回収される商品、および回収日に補充される商品などが示されている。
【０１４３】
また、表示画面７１０においては、「注文」、「在庫状況」、「商品情報」、「履歴」、「レシピ」、「カロリー」など、各種のメニュー画面を表示させるための操作キーが示されている。さらに、表示画面７１０においては、消費者の情報を入力あるいは既に入力した消費者の情報を変更する際に操作される「個人情報登録／変更」キーが示されている。表示画面７１０においては、簡易なアプリケーションによって動作するミニゲームをおこなわせることが可能とされている。
【０１４４】
また、表示画面７１０においては、天気予報、占い、時事ニュースなどを報知するテロップが示されている。表示装置１０５は、たとえば当該表示装置１０５に積層されたタッチパネル１０６に対する所定の操作がおこなわれた場合に、表示画面７１０を表示する。あるいは表示装置１０５は、たとえば表示装置１０５の近傍に人感センサを設け、当該人感センサによって消費者の接近が検出された場合に表示画面７１０を表示するようにしてもよい。人感センサおよび当該人感センサの検出結果に基づいて表示画面７１０を表示させる技術については、公知の技術を用いて容易に実現可能であるため、説明を省略する。
【０１４５】
図７−２において、たとえば表示画面７２０は、商品管理装置１００の利用開始時に表示させる、初期登録画面を示している。表示画面７２０においては、商品管理装置１００を利用する消費者の氏名、住所、電話番号、電子メールアドレス、生年月日、性別、職業、家族構成などを入力する各種の入力ボックスが表示されている。消費者は、各入力ボックスに対して該当事項を入力し、「つぎへ」キーを表示する。表示画面７２０における「つぎへ」キーが操作された場合、当該操作の時点において入力されていた事項が、商品管理装置１００に登録される。
【０１４６】
表示画面７２０においては、補充や購入を勧める商品の傾向の特定に用いる、コースの指定が可能とされている。商品管理装置１００は、指定されたコースに即した商品を提供するように、上記の消費傾向を分析し、分析結果に沿った表示画面７１０を表示する。これにより、消費者の嗜好に合致した商品を効果的に販売することができる。
【０１４７】
図７−３において、表示画面７３０には、代替え商品のキャンペーン情報と、代替え商品を注文するための操作キーが表示されている。代替え商品のキャンペーン情報を見た消費者は、当該代替え商品に興味をもった場合に代替え商品を注文するための操作キーを操作する。商品管理装置１００は、表示画面７３０の表示中に、代替え商品を注文するための操作キーが操作された場合、図７−４に示した表示画面７４０をする。
【０１４８】
図７−４において、表示画面７４０には、「ご注文の本数を入力してください」などのメッセージと、本数を入力するための数字キー、および、入力された注文内容を確定する「注文確定」キーなどが表示されている。上記の補充予定情報生成部３０６は、「注文確定」キーが操作された場合、入力された注文内容に基づく補充可否情報を含む補充予定情報を生成する。
【０１４９】
（商品管理装置１００の処理手順（その１））
つぎに、商品管理装置１００の処理手順（その１）について説明する。図８は、商品管理装置１００の処理手順（その１）を示すフローチャートである。図８のフローチャートにおいて、まず、補充完了情報を取得したか否かを判断する（ステップＳ８０１）。補充完了情報を取得した場合（ステップＳ８０１：Ｙｅｓ）は、ステップＳ８０４へ移行する。
【０１５０】
ステップＳ８０１において、補充完了情報を取得していない場合（ステップＳ８０１：Ｎｏ）は、所定の商品１０１が消費されたか否かを判断する（ステップＳ８０２）。所定の商品１０１が消費されていない場合（ステップＳ８０２：Ｎｏ）は、ステップＳ８０１に戻る。
【０１５１】
ステップＳ８０２において、所定の商品１０１が消費された場合（ステップＳ８０２：Ｙｅｓ）は、消費された所定の商品１０１の消費情報を記憶する（ステップＳ８０３）。ステップＳ８０３においては、たとえば所定の商品１０１が消費された日時と、消費された所定の商品１０１の商品特定情報とを対応づけて、消費情報テーブル５００に記憶する。
【０１５２】
ステップＳ８０４においては、在庫状況情報を更新する（ステップＳ８０４）。在庫状況情報は、たとえばステップＳ８０２：Ｙｅｓにおいて消費されたと判断された所定の商品１０１の商品特定情報を、在庫状況情報テーブル６００から削除することによって在庫状況情報を更新する。その後、在庫状況情報テーブル６００における、更新された在庫状況情報に基づいて、表示情報を生成する（ステップＳ８０５）。
【０１５３】
そして、所定の時期になったか否かを判断し（ステップＳ８０６）、所定の時期になっていない場合（ステップＳ８０６：Ｎｏ）は、ステップＳ８０１に戻る。一方、所定の時期になった場合（ステップＳ８０６：Ｙｅｓ）は、補充予定情報を生成する（ステップＳ８０７）。
【０１５４】
商品管理装置１００は、ステップＳ８０７における補充予定情報の生成に先立って、消費傾向の分析をおこなう。消費傾向の分析は、ステップＳ８０３において消費情報テーブル５００を更新した後であって、ステップＳ８０７における補充予定情報の生成よりも前におこなう。
【０１５５】
つぎに、表示情報を生成する（ステップＳ８０８）とともに、発注先のサーバに対してステップＳ８０７において生成した補充予定情報を送信して（ステップＳ８０９）、一連の処理を終了する。ステップＳ８０８において生成された表示情報は、商品管理装置１００に対する所定の入力操作があった場合、あるいは所定の条件を満足した場合に、表示装置１０５に表示される。すなわち、ステップＳ８０８における表示情報の生成と、表示装置１０５における表示情報の表示と、は必ずしも対応しない。
【０１５６】
図８に示したフローチャートにおいては、ステップＳ８０５において表示情報を生成し、ステップＳ８０８において表示情報を生成している。ステップＳ８０５における表示情報の生成は、在庫状況情報テーブル６００の更新ごとにおこなわれるため、ステップＳ８０５において生成された表示情報によって在庫状況をリアルタイムで把握することができる。
【０１５７】
ステップＳ８０８における表示情報の生成は、補充予定情報を加味しておこなわれるため、ステップＳ８０８において生成された表示情報を表示することによって、補充が予定されている所定の商品１０１を消費者に案内することができる。ステップＳ８０５およびステップＳ８０８において生成された表示情報は、商品管理装置１００に対して所定の操作がなされた場合に、表示装置１０５に表示される。これにより、誰もいないときに無意味に表示することによる無駄な電気の消費を防止するとともに、表示情報を生成しておくことにより、消費者が必要とするときにいつでも、生成された表示情報を迅速に表示することができる。
【０１５８】
（商品管理装置１００の処理手順（その２））
つぎに、商品管理装置１００の処理手順（その２）について説明する。図９は、商品管理装置１００の処理手順（その２）を示すフローチャートである。図９のフローチャートにおいて、まず、補充可否情報の入力があるまで待機する（ステップＳ９０１：Ｎｏ）。
【０１５９】
ステップＳ９０１において、補充可否情報の入力があった場合（ステップＳ９０１：Ｙｅｓ）は、補充予定情報を生成する（ステップＳ９０２）。ステップＳ９０２においては、ステップＳ９０１：Ｙｅｓにおいて入力された補充可否情報を含む補充予定情報を生成する。
【０１６０】
つぎに、表示情報を生成する（ステップＳ９０３）とともに、発注先のサーバに対してステップＳ９０２において生成した補充予定情報を送信して（ステップＳ９０４）、一連の処理を終了する。ステップＳ９０３において生成された表示情報は、商品管理装置１００に対する所定の入力操作があった場合、あるいは所定の条件を満足した場合に、表示装置１０５に表示される。すなわち、ステップＳ９０３における表示情報の生成と、表示装置１０５における表示情報の表示と、は必ずしも対応しない。
【０１６１】
上述した実施の形態においては、商品管理装置１００における消費傾向を分析するようにしたが、これに限るものではない。たとえば複数の商品管理装置１００とサーバとをインターネットなどのネットワークを介して接続し、複数の商品管理装置１００における消費状況を加味した消費傾向を分析するようにしてもよい。
【０１６２】
サーバは、たとえばパーソナルコンピュータなどのコンピュータ装置によって実現することができる。具体的には、サーバは、たとえばＣＰＵとＲＯＭやＲＡＭなどのメモリとによって構成されるマイクロコンピュータと、通信回線を通じてネットワーク１３０に接続されたネットワークＩ／Ｆとを備えたコンピュータ装置によって実現することができる。
【０１６３】
このコンピュータ装置は、ＨＤやＦＤなどの記録媒体と、これらの記録媒体に対するデータのリード／ライトを制御するＨＤＤやＦＤＤなどを備えていてもよい。サーバを実現するコンピュータ装置については、公知の各種の技術を用いて容易に実現可能であるため説明を省略する。
【０１６４】
この場合、商品管理装置１００は、たとえば「毎日０時」、「２時間ごと」、「消費があるごと」などの所定のタイミングで、商品管理装置１００における消費情報テーブル５００や在庫状況情報テーブル６００などに記憶された情報を、サーバに対して送信する。あるいは、この場合、商品管理装置１００は、たとえば「毎日０時」、「２時間ごと」、「消費があるごと」などの所定のタイミングで、商品管理装置１００における消費情報テーブル５００や在庫状況情報テーブル６００などに記憶された情報に基づいた消費傾向の分析をおこない、分析結果をサーバに対して送信するようにしてもよい。
【０１６５】
商品管理装置１００は、消費情報テーブル５００や在庫状況情報テーブル６００などに記憶された情報、あるいは、これらの情報に基づく分析結果に、各商品管理装置１００を識別する識別情報を関連づけた情報を送信する。これにより、複数の商品管理装置１００から収集した情報に基づく消費傾向の分析結果を、各商品管理装置１００における商品の補充に反映することができる。
【０１６６】
また、上述した実施の形態においては、商品管理装置１００ごとに代替え商品ＤＢ４００を設けるようにしたが、これに限るものではない。商品管理装置１００は、消費者ごとに異なる代替え商品ＤＢ４００を備えていてもよい。これによって、消費者ごとに適した代替え商品を提案することができ、きめ細かいサービスができる。
【０１６７】
具体的には、たとえばビールにこだわりのある消費者に対応する代替え商品ＤＢ４００においては、複数種類のビールの商品情報を記憶しておく。また、具体的には、たとえばあまりこだわりがなく、「アルコールは何でもいい」という消費傾向が分析される消費者に対応する代替え商品ＤＢ４００においては、たとえばワイン、紹興酒、ウィスキーなどのようにビール以外のアルコール飲料の商品情報を記憶しておくようにしてもよい。
【０１６８】
この場合、商品管理装置１００から取り出した所定の商品１０１を消費した消費者を特定する識別情報を入力する。識別情報の入力は、たとえば所定の商品１０１を商品管理装置１００から取り出すごとに入力する。識別情報は、４桁の数字などのような簡易な番号であってもよいし、指紋認証などによって識別できる生体情報であってもよい。個々の消費者を識別する識別情報として生体情報を入力する場合、商品管理装置１００は、該当する生体情報を取得可能な生体情報取得装置を備える。生体情報取得装置については、公知の各種の技術を用いて容易に実現可能であるため、説明を省略する。
【０１６９】
また、上述した実施の形態においては、代替え商品ＤＢ４００を商品管理装置１００ごとに設けるようにしたが、これに限るものではない。代替え商品ＤＢ４００は、サーバに設けられていてもよい。この場合、サーバにおいては、所定の商品１０１の商品特定情報と代替え商品の商品特定情報とを対応づけて記憶する、上記の代替え商品ＤＢ４００と同様のデータ構成をなす代替え商品ＤＢとすることができる。
【０１７０】
また、サーバにおいては、商品管理装置１００ごとの代替え商品ＤＢ４００が設けられていてもよい。この場合、商品管理装置１００ごとの消費傾向に基づいて、所定の商品１０１の商品特定情報に対応づけられる代替え商品の商品特定情報を異ならせることができる。この場合、具体的には、たとえば或る商品管理装置１００に対応する代替え商品ＤＢにおいては「Ａ社製の缶ビール」の代替え商品として「Ｂ社製の缶ビール」が対応づけられ、別の商品管理装置１００に対応する代替え商品ＤＢにおいては「Ａ社製の缶ビール」の代替え商品として「Ａ社製の発泡酒」が対応づけられることとなる。
【０１７１】
代替え商品ＤＢをサーバにおいて管理する場合、商品管理装置１００は、たとえば所定のタイミングでサーバにアクセスし、代替え商品の商品特定情報を取得する。所定のタイミングは、たとえば「毎日０時」、「２時間ごと」などのようにあらかじめ設定された時刻に定期的であってもよいし、「消費があるごと」などのように不定期であってもよい。
【０１７２】
また、サーバに設けられた代替え商品ＤＢが記憶する情報は、所定のタイミングでサーバから各商品管理装置１００へ配信（送信）するようにしてもよい。この場合、所定のタイミングは、たとえば「毎日０時」、「２時間ごと」などのようにあらかじめ設定された時刻に定期的であってもよいし、サーバに設けられた代替え商品ＤＢが更新されるごとであってもよい。
【０１７３】
この場合、商品管理装置１００は、サーバから配信された代替え商品の商品特定情報と、消費情報テーブル５００や在庫状況情報テーブル６００に記憶されている情報と、に基づいて消費傾向を分析し、該当する情報を表示装置１０５に表示する。あるいは、この場合、商品管理装置１００は、所定のタイミングで消費情報テーブル５００や在庫状況情報テーブル６００に記憶されている情報をサーバに送信し、代替え商品の商品特定情報を取得するようにしてもよい。
【０１７４】
商品管理装置１００あるいはサーバにおける分析によって得られた消費傾向は、運用上、商品管理装置１００に対する所定の商品１０１の補充に際して活用することができる。具体的には、たとえば「ビールとヨーグルトとは同時に消費されることが多い」という消費傾向が得られた場合、ビールをよく消費する商品管理装置１００に対して所定の商品１０１を補充する際に、ビールとヨーグルトとを補充するようにする。これによって、「もしかすると食べてくれるかもしれない。」といった観点から補充する商品を展開し、販売促進を図る効果が期待できる。
【０１７５】
代替え商品ＤＢ４００をサーバに設け、かつ、サーバに設けた代替え商品ＤＢにおいて消費者ごとに異なる代替え商品ＤＢ４００を設ける場合、商品管理装置１００は、たとえば「毎日０時」、「２時間ごと」、「消費があるごと」などの所定のタイミングで、商品管理装置１００における消費情報テーブル５００や在庫状況情報テーブル６００などに記憶された情報を、自身（商品管理装置１００）を識別する識別情報および消費者を識別する識別情報とともに、サーバに対して送信する。
【０１７６】
そして、この場合、サーバは、商品管理装置１００から送信された情報に基づいて、消費者ごとに設けられた代替え商品ＤＢを適宜更新する。更新された消費者ごとの代替え商品ＤＢに記憶された情報は、所定のタイミングで該当する商品管理装置１００に送信される。
【０１７７】
この実施の形態の商品管理装置１００を導入することにより、消費者に対して、当該消費者が商品をいつでも買える状況を実現することができる。これによって、当該商品管理装置１００を導入する企業あるいは当該商品管理装置１００に補充する所定の商品１０１を提供する企業に対しては、消費者が商品を買いたい状況で、いつでも商品を販売することができるので、販売機会を逃さないというメリットがある。
【０１７８】
また、この実施の形態の商品管理装置１００を導入することにより、上記の企業は、消費傾向に基づいて、特定の商品を当該特定の商品を消費する可能性が高いと判断される消費者の商品管理装置１００に補充することができるので、売り上げの芳しくない商品を試験的に補充するなどの運用上の調整をおこなうことができ、さらに試験的に補充した商品が売れた場合には売り上げの芳しくない商品の在庫を効率よく減らすことができる。
【０１７９】
また、この実施の形態の商品管理装置１００を導入することにより、上記の企業は、消費傾向に基づいて、商品管理装置１００ごと、すなわち消費者ごとに、詳細な嗜好分析を得ることができる。これによって、消費者がどのような商品を求めているかをリサーチしやすくなり、消費者が求める新商品の開発に役立てることができる。そして、消費者の求める新商品を開発し、販売することによって、当該新商品を提供する企業の利益拡大を図ることができる。
【０１８０】
以上説明したように、この実施の形態の商品管理装置１００は、所定の商品１０１の、当該所定の商品１０１を貯蓄する貯蓄庫への補充完了情報を取得する補充完了情報取得部３０１と、所定の商品１０１が消費されたことを検知する消費検知部３０２と、補充完了情報取得部３０１によって取得された補充完了情報および消費検知部３０２によって検知された結果に基づいて、所定の商品１０１の貯蓄庫における在庫の状況に関する在庫状況情報を算出する在庫状況算出部３０３と、消費検知部３０２によって検知された結果に基づいて、所定の商品１０１の消費時期に関する情報を含む消費情報を記憶する消費情報記憶部３０４と、消費情報記憶部３０４に記憶された消費情報を抽出し、抽出された消費情報に基づいて、所定の商品１０１の消費傾向を分析する消費傾向分析部３０５と、在庫状況算出部３０３によって算出された在庫状況情報および消費傾向分析部３０５によって分析された結果に基づいて、所定の商品１０１および当該所定の商品の代替え商品の貯蓄庫への補充時期および補充量に関する補充予定情報を生成する補充予定情報生成部３０６と、所定の商品１０１の商品情報を含む補充完了情報、在庫状況情報、消費情報、消費傾向に関する情報および補充予定情報の少なくともいずれか一つの情報を表示する表示部３０７と、補充予定情報生成部３０６によって生成された補充予定情報を所定の商品１０１の発注先のサーバへ送信する送信部３０８と、を備えたことを特徴としている。
【０１８１】
この実施の形態の商品管理装置１００によれば、所定の商品１０１の消費者による実際の商品の消費状況に基づく消費傾向にしたがって、所定の商品１０１および当該所定の商品１０１の代替え商品の補充時期や補充量を、消費者に対して案内することができる。これにより、消費者の嗜好に即した商品を提供し、生活における満足感を向上させることができる。
【０１８２】
すなわち、この実施の形態の商品管理装置１００によれば、消費者が実際に消費した所定の商品１０１の代替え商品を案内することができるので、代替え商品を、当該代替え商品を消費する可能性が高い消費者に案内することができる。これによって、所定の商品１０１および代替え商品などの各商品の販売促進を図ることができる。
【０１８３】
また、この実施の形態の商品管理装置１００によれば、貯蓄庫への補充時期および補充量に関する補充予定情報を商品の発注先のサーバへ送信することにより、消費者に操作をおこなわせることなく、消費される確率が高い商品を、該当する所定の商品１０１の消費状況に応じて補充させることができる。これにより、消費者の嗜好に即した商品を適切に提供し、生活における満足感を向上させることができる。
【０１８４】
また、この実施の形態の商品管理装置１００は、消費検知部３０２が、所定の商品１０１または代替え商品が開封されたことを検知することを特徴としている。この実施の形態の商品管理装置１００によれば、所定の商品１０１または代替え商品が開封されたことをもって当該商品の消費を検知することにより、消費者による所定の商品１０１の消費状況にあわせて、所定の商品１０１または代替え商品を補充することができる。
【０１８５】
このように、実際に消費した商品に基づいて消費状況を判断することにより、消費者の嗜好に即した所定の商品１０１または代替え商品を適切な時期に補充することができる。これによって、消費者は、当該消費者の嗜好に即した所定の商品１０１または代替え商品を必要とするときに入手することができるので、消費者の生活における満足感を向上させることができる。
【０１８６】
また、この実施の形態の商品管理装置１００は、補充完了情報が、貯蓄庫に貯蓄されていた所定の商品１０１の回収情報を含むことを特徴としている。この実施の形態の商品管理装置１００によれば、回収された所定の商品１０１について在庫状況情報を算出することができるので、実際に貯蔵庫１０２内に貯蔵されている所定の商品１０１または代替え商品およびこれらの商品の消費状況に基づいて、消費者の嗜好に即した所定の商品１０１または代替え商品を補充することができる。
【０１８７】
また、この実施の形態の商品管理装置１００は、補充完了情報が、商品の消費期限に関する情報を表示することを特徴としている。この実施の形態の商品管理装置１００によれば、所定の商品１０１の消費期限を案内することにより、所定の商品１０１の無駄のない消費を支援することができる。
【０１８８】
また、この実施の形態の商品管理装置１００は、表示部３０７が、所定の期間における消費合計金額に関する情報を表示することを特徴としている。この実施の形態の商品管理装置１００によれば、消費者の嗜好に即した所定の商品１０１または代替え商品を容易に入手できる利便性を提供するとともに、過剰な消費を抑制することができる。
【０１８９】
また、この実施の形態の商品管理装置１００は、補充完了情報は、代替え商品の商品情報を含んでおり、表示部３０７が、代替え商品の商品情報を表示することを特徴としている。この実施の形態の商品管理装置１００によれば、代替え商品を当該代替え商品を好む傾向にある消費者に提供することができるので、消費者の満足度の向上を図るとともに、代替え商品の販売促進を図ることができる。
【０１９０】
また、この実施の形態の商品管理装置１００は、表示部３０７が、所定の商品１０１の情報に含まれている当該所定の商品１０１の価格に関する情報と、代替え商品の商品情報に含まれている当該代替え商品の価格に関する情報とを、比較可能に表示することを特徴としている。この実施の形態の商品管理装置１００によれば、価格の比較を可能とすることにより、消費者の要望に即した商品を提供することができる。
【０１９１】
また、この実施の形態の商品管理装置１００は、さらに、表示画面に表示された代替え商品の補充の可否に関する情報の入力を受け付ける代替え商品補充可否入力部３０９を備え、補充予定情報生成部３０６が、代替え商品補充可否入力部３０９によって入力された情報に基づいて補充予定情報を生成することを特徴としている。この実施の形態の商品管理装置１００によれば、代替え商品が貯蔵庫１０２に実際に貯蔵されていない場合にも、外出することなく当該代替え商品を入手させることができる。
【０１９２】
なお、この実施の形態で説明した商品管理方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０１９３】
以上のように、この発明にかかる商品管理装置、商品管理方法および商品管理プログラムは、販売を目的とした商品を管理する商品管理装置、商品管理方法および商品管理プログラムに有用であり、特に、消費者の嗜好に合致した商品を適切な時期に提供することによって生活の利便性の向上を図る商品管理装置、商品管理方法および商品管理プログラムに適している。
【符号の説明】
【０１９４】
１００  商品管理装置
３０１  取得部
３０２  検知部
３０３  算出部
３０４  記憶部
３０５  分析部
３０６  生成部
３０７  表示部
３０８  送信部
３０９  入力部
【図１−１】
2010250753.tif 000003
【図１−２】
2010250753.tif 000004
【図２】
2010250753.tif 000005
【図３】
2010250753.tif 000006
【図４】
2010250753.tif 000007
【図５】
2010250753.tif 000008
【図６】
2010250753.tif 000009
【図７−１】
2010250753.tif 000010
【図７−２】
2010250753.tif 000011
【図７−３】
2010250753.tif 000012
【図７−４】
2010250753.tif 000013
【図８】
2010250753.tif 000014
【図９】
2010250753.tif 000015